(57)【要約】【課題】      散歩などで汚れた犬や猫等，ペットの足を洗った後に、濡れた足の裏だけでなく足全体をそのマット一つで拭く事ができる、手の挿入部分付き足拭きマットを提供する。【解決手段】  遊離自在にして、敷設する面の滑り止め用の網状ネットの適所に、左右の手を別々に差し込むための、挿入袋を左右一対設けた。手の挿入部分は、手のひらに当たる面は滑り止め用の網状ネットであるため手に密着して、拭くものをしっかりキャッチすることができる。手の甲に当たる面はタオル地であるため、手の丸みや動きにそぐために自由がきく。又、マット本体の敷設面は滑り止め用の網状ネットであるため、一方の足を拭くために、もう一方の足だけで立っていてバランスをくずしてふらついても、滑り止め用の網状ネットが床などに密着しているため、滑ったりこけたりするのを防ぐ事ができる。【選択図】    図２
2008237077.tif 000002
【特許請求の範囲】
【請求項１】
吸水性布地と、滑り止め用の網状ネットとを重ね合わせると共に、前記吸水性布地と前記滑り止め用の網状ネットの縁を固着し、前記吸水性布地と前記滑り止め用の網状ネットの夫々の中央部分を遊離自在にした事を特徴とするペット用足拭きマット。
【請求項２】
前記滑り止め用の網状ネットの適所に、左右の手を別々に差し込むための挿入袋を、左右一対設けた事を特徴とする請求項１に記載のペット用足拭きマット。
【請求項３】
前記マットを吊り下げるための吊り具を、マットの上辺部分に取り付け、前記挿入袋はその挿入口を、マットの下辺方向に向けて取り付ける事を特徴とする請求項１記載のペット用足拭きマット。  
【発明の詳細な説明】
【技術分野】
【０００１】
本発明は犬や猫など、ペットの足を拭く際の足拭きマットに関する。
【背景技術】
【０００２】
従来、散歩などで汚れた犬や猫など、ペットの足を洗った後に拭く際、足を乗せる敷きマットや、拭くためのタオルなどを事前に準備しておかなければならなかった。特許文献１のようにマット基材の床等に接する側の面に水溶性ゴムが吹き付けられてなるマットや、特許文献２のように犬や猫のペット類等のからだ表面に付着している水を急速に吸収するマット等がある。
【０００３】
【特許文献１】特開２００２−２３３４４４号
【特許文献２】特開平７−３２７８９９号
【発明の開示】
【発明が解決しようとする課題】
【０００４】
しかし、ほとんどのペットは毎日散歩し、しかも日に何度か散歩するので、衛生面の上でマットに十分に日を当てるとか、速く乾かせる必要がある。特許文献１のように、床などに接する側の面に水溶性ゴムが吹き付けてあると、通気性に乏しく速乾性がない。又、ペットはじっと立っておらず、動きまわったり、嫌がって逃げたりする事もあるので、滑り止め加工が施されていなければ、マット本体がゆがんだり、ペットが乗ったまま滑ったりと、不都合が生じる。
【０００５】
本発明はこうした問題点を解決した、ペット用足拭きマットを提供する。
【課題を解決するための手段】
【０００６】
本発明は、吸水性布地と、滑り止め用の網状ネットとを重ね合わせると共に、布地と滑
リ止め用の網状ネットの縁を固着し、布地と滑り止め用の網状ネットの夫々の中央部分
を遊離自在にした事を特徴とする。
【０００７】
又、本発明は、滑り止め用の網状ネットの適所に、左右の手を別々に差し込むための、
挿入袋を左右一対設けた。さらに、上記マットを吊り下げるための吊り具を、マットの
上辺部分に取り付け、上記挿入袋はその挿入口を、マットの下辺方向に向けて取り付け
る事を特徴とする。
【発明の効果】
【０００８】
上記の構成により、本発明のペット用足拭きマットは、布地と柔軟性のある網状ネット
から構成したので、ペットの足を包んで拭けるし簡単に洗って硬く搾る事ができる。又、夫々の中央部分を遊離自在に形成しているので衛生的で速く乾かす事ができる。さらに、滑り止め用の網状ネットの適所に設けた挿入袋は、手の平に当たる面は滑り止め用の網状ネットなので、手が滑らずに拭くものをしっかりキャッチする事ができる。手の甲に当たる面はタオル地なので、手を自由に動かせる事ができる。しかも、敷設する面が滑り止め用の網状ネットであるため、ペットが動き回ったりしても、マットがゆがんだり移動する事はない。
【０００９】
マットを吊り下げるための吊り具は、マットの上辺中央部分に取り付ける事によって、乾燥時には左右平均して水切りする事ができ、遊離自在にしたマットの中央部分は、吊り下げると、所々に空間ができるため風通しが良く、速く乾かす事ができるとともに、コンパクトに吊るせる
【発明を実施するための最良の形態】
【００１０】
以下、本発明の実施の形態を図面に基づいて説明する。  
【００１１】
図１、図２に示す実施例は、上面の布地１としてタオル地を用い、下面に滑り止め用の
網状ネット２を用い、上記の布地１と滑り止め用の網状ネット２の周囲を、ミシンで縫合したものである。（図中、３はミシン目である）周囲を綴じ合わせる手段として、図１、
図２では縫い代を内側に折り曲げ、押さえミシンを掛けて、布地１と滑り止め用の網状ネット２の周囲を縫製する。または、布地１と滑り止め用の網状ネット２の周縁部分にバイアステープを添えた上で、布地１と滑り止め用の網状ネット２を縫着してもよい。
【００１２】
又、滑り止め用の網状ネット２の左右に、手を別々に挿入するための挿入袋５を縫着する。この挿入袋５はタオル地でミトンの形に形成されているが、左右の手それぞれの全体をすっぽり挿入するものや、手袋のように５本指になったものでもよいが、ペットの足が掴みやすかったり、手の指が入れやすかったりとミトンの形が一番好ましい。
【００１３】
下面の滑り止め用の網状ネット２は、網状に形成した天然又は合成の繊維、或いは多孔軟質プラスチックネットを、天然又は合成のゴム液に浸漬して含浸させ、或いは塗布して滑り止め材とする。または、ゴム材を織り込んだ繊維を用いて多孔ネットに形成してもよいし、多孔ネットの適宜個所に複数の滑り止め材を縫着や貼着するなどして、滑り止め効果を得るようにしてもよい。  
【００１４】
実施例では、布地１が吸水性のタオル地の場合を例示したが、タオル以外に、吸水性の高い材質があればそれでも良い。滑り止め用の網状ネット２は、図４に示す第２実施例として、軟質シート７に多数の丸い孔８を開けた物でも良い。但し、これよりも網状ネットの方が孔が多く施されているので、風通しが良く、速く乾かす点では優れている。又、マットの上辺部分の左右中央部には、このマットを吊り金具に吊持するための吊り具４を設けてある。この吊り具４は紐状の吊るす形態の物の他、吊り金具の無い場合には、吸盤などでくっつけて吊るしてもよい。
【００１５】
次に本発明のペット用足拭きマットの使い方を説明する。図５に示すように敷設した足拭きマットの、左右に設けた挿入袋５に両手のひらを上にして入れ、濡れたペットの足をくるむよう（図６）にして拭く。
【００１６】
本発明はペット用の足拭きマット以外の用途として、図に示すように、ペットと人が利用できる店などで、人とペットが共用する椅子にペットを座らせる時（図７Ａ）、エチケットとして本発明のペット用の足拭きマットを椅子に敷いたり、又、ペットを車のシートに乗せる時（図７Ｂ）、ペット用の足拭きマットを敷いて置くと、爪などでシートを傷つけるのを防ぐ事ができる。
【図面の簡単な説明】
【００１７】
【図１】本発明の実施形態を示す斜視図
【図２】本発明の実施形態を示す斜視図
【図３】本発明の実施形態を示す断面図
【図４】滑り止めシートの第２実施例を示す平面図
【図５】敷設する場所に置いた状態を示す斜視図
【図６】使用状態を示す斜視図
【図７−Ａ】他の使用状態を示す斜図
【図７−Ｂ】他の使用状態を示す斜図
【符号の説明】
【００１８】
１    タオル地
２    滑り止め用の網状ネット
３    ミシン目
４    吊り具
５    挿入袋
６    遊離部
７    軟質シート
８    孔
【図１】
2008237077.tif 000003
【図２】
2008237077.tif 000004
【図３】
2008237077.tif 000005
【図４】
2008237077.tif 000006
【図５】
2008237077.tif 000007
【図６】
2008237077.tif 000008
【図７−Ａ】
2008237077.tif 000009
【図７−Ｂ】
2008237077.tif 000010
【手続補正書】
【提出日】平成19年9月28日(2007.9.28)
【手続補正１】
【補正対象書類名】特許請求の範囲
【補正対象項目名】全文
【補正方法】変更
【補正の内容】
【特許請求の範囲】
【請求項１】
吸水性布地と、滑り止め用の網状ネットとを重ね合わせると共に、前記吸水性布地と前記滑り止め用の網状ネットの周縁を固着し、前記吸水性布地と前記滑り止め用の網状ネットの夫々の中央部分を遊離自在にし、前記滑り止め用の網状ネットの表面側の適所に、左右の手を別々に差し込むための挿入袋を、左右一対設けたことを特徴とするペット用足拭きマット。
【手続補正２】
【補正対象書類名】明細書
【補正対象項目名】０００６
【補正方法】変更
【補正の内容】
【０００６】
本発明は、吸水性布地と、滑り止め用の網状ネットとを重ね合わせると共に、前記吸水性布地と前記滑り止め用の網状ネットの周縁を固着し、前記吸水性布地と前記滑り止め用の網状ネットの夫々の中央部分を遊離自在にし、前記滑り止め用の網状ネットの表面側の適所に、左右の手を別々に差し込むための挿入袋を、左右一対設けたことを特徴とする。
【手続補正３】
【補正対象書類名】明細書
【補正対象項目名】０００７
【補正方法】削除
【補正の内容】